(57)【要約】【課題】本発明は、携帯端末機のメッセージ転送方法を提供する。【解決手段】本発明は、携帯端末機のメッセージ転送方法において、携帯端末機のメッセージモードにおいて作成されたメッセージに対する転送が選択されると、メッセージを転送するステップと、メッセージが転送される間、携帯端末機のクローズ動作が発生すると、携帯端末機がクローズされた状態でも、前記メッセージの転送が継続して遂行されるステップとを含む。【選択図】図２
2007195152.tif 000002
【特許請求の範囲】
【請求項１】
携帯端末機のメッセージ転送方法において、
前記携帯端末機のメッセージモードにおいて作成されたメッセージに対する転送が選択されると、前記メッセージを転送するステップと、
前記メッセージが転送される間、前記携帯端末機のクローズ動作が発生すると、前記携帯端末機がクローズされた状態でも、前記メッセージの転送が継続して遂行されるステップとを含むことを特徴とする、携帯端末機のメッセージ転送方法。
【請求項２】
前記メッセージの転送が継続して遂行されるステップは、
前記メッセージが転送される間、前記携帯端末機のクローズ動作が発生すると、前記メッセージの転送が完了したか否かを判断するステップと、
前記メッセージの転送が完了しなかった場合、前記携帯端末機がクローズされた状態でメッセージの転送維持が設定されているか否かを判断するステップと、
前記メッセージの転送維持が設定されていると、前記携帯端末機がクローズされた状態でも、前記メッセージの転送が継続して遂行されるステップとを含むことを特徴とする、請求項１に記載の携帯端末機のメッセージ転送方法。
【請求項３】
前記メッセージの転送維持が設定されていないと、前記メッセージ転送を終了するステップをさらに含むことを特徴とする、請求項２に記載の携帯端末機のメッセージ転送方法。
【請求項４】
前記メッセージの転送が継続して遂行されるステップは、
前記メッセージが転送される間、前記携帯端末機のクローズ動作が発生すると、前記メッセージの転送が完了したか否かを判断するステップと、
前記メッセージの転送が完了しなかった場合、前記メッセージの転送を継続して遂行するか否かを尋ねるメッセージを表示するステップと、
一定時間が経過する前にメッセージの転送が選択されると、前記携帯端末機がクローズされた状態でも、前記メッセージの転送を継続して遂行するステップとを含むことを特徴とする、請求項１に記載の携帯端末機のメッセージ転送方法。
【請求項５】
前記一定時間が経過したり、前記一定時間が経過する前にメッセージの転送取消が選択されると、前記メッセージの転送を終了するステップをさらに含むことを特徴とする、請求項４に記載の携帯端末機のメッセージ転送方法。
【請求項６】
前記メッセージの転送を継続して遂行するか否かを尋ねるメッセージは、前記携帯端末機の外部表示部に表示されることを特徴とする、請求項４に記載の携帯端末機のメッセージ転送方法。
【請求項７】
前記メッセージの転送が完了すると、前記携帯端末機がクローズされた状態で、前記メッセージ転送が成功したか否かを報知するステップをさらに含むことを特徴とする、請求項１に記載の携帯端末機のメッセージ転送方法。
【請求項８】
前記メッセージの転送が成功したか否かは、振動発生回数、ベル音の種類及びランプの動作を介してなされることを特徴とする、請求項７に記載の携帯端末機のメッセージ転送方法。
【請求項９】
携帯端末機のメッセージ転送方法において、
前記携帯端末機のメッセージモードにおいて作成されたメッセージに対する転送が選択されると、前記メッセージを転送するステップと、
前記メッセージが転送される間、前記携帯端末機のクローズ動作が発生すると、前記携帯端末機がクローズされた状態で、メッセージの転送維持が設定されているか否かを判断するステップと、
前記メッセージの転送維持が設定されていると、前記携帯端末機がクローズされた状態でも、前記メッセージの転送を継続して遂行するステップと、
前記メッセージの転送が完了すると、前記携帯端末機がクローズされた状態で、前記メッセージの転送が成功したか否かを報知するステップとを含むことを特徴とする、携帯端末機のメッセージ転送方法。
【請求項１０】
前記メッセージの転送維持が設定されていないと、前記メッセージ転送を終了するステップをさらに含むことを特徴とする。請求項９に記載の携帯端末機のメッセージ転送方法。
【請求項１１】
携帯端末機のメッセージ転送方法において、
前記携帯端末機のメッセージモードにおいて作成されたメッセージに対する転送が選択されると、前記メッセージを転送するステップと、
前記メッセージが転送される間、前記携帯端末機のクローズ動作が発生すると、前記メッセージの転送を継続して遂行するか否かを尋ねるメッセージを表示するステップと、
一定時間が経過する前にメッセージの転送が選択されると、前記携帯端末機がクローズされた状態でも、前記メッセージの転送を継続して遂行するステップと、
前記メッセージの転送が完了すると、前記携帯端末機がクローズされた状態で、前記メッセージの転送が成功したか否かを報知するステップとを含むことを特徴とする、携帯端末機のメッセージ転送方法。
【請求項１２】
前記一定時間が経過したり、前記一定時間が経過する前にメッセージの転送取消が選択されると、前記メッセージの転送を終了するステップをさらに含むことを特徴とする、請求項１１に記載の携帯端末機のメッセージ転送方法。
【請求項１３】
前記メッセージの転送を継続して遂行するか否かを尋ねるメッセージは、前記携帯端末機の外部表示部に表示されることを特徴とする、請求項１１に記載の携帯端末機のメッセージ転送方法。
【発明の詳細な説明】
【技術分野】
【０００１】
本発明は、携帯端末機のメッセージ転送方法に関し、携帯端末機においてメッセージを転送する間、携帯端末機のクローズ動作が発生しても、メッセージの転送を継続して遂行できる携帯端末機のメッセージ転送方法に関する。
【背景技術】
【０００２】
一般の携帯端末機では、転送するメッセージを作成した後、メッセージ転送キーを入力すると、作成したメッセージが転送される。しかしながら、メッセージの転送が完了する前に、例えば、フォルダ式携帯端末機においてフォルダが折り畳まれたり、フリップ式携帯端末機においてフリップがクローズされたり、或いは、スライド式携帯端末機においてスライドがクローズされるような動作が発生すると、メッセージの転送は直ぐ終了されて失敗することになる。
【０００３】
よって、携帯端末機のユーザーは、メッセージを再作成して転送しなければならず、メッセージの転送が完了される数秒〜数十秒の間、携帯端末機の閉鎖動作を行わないまま、待機しなければならない不便さがあった。
【特許文献１】韓国特許出願公開第２００２−４５９２５号明細書
【特許文献２】韓国特許出願公開第２００２−５２１１３号明細書
【発明の開示】
【発明が解決しようとする課題】
【０００４】
したがって、本発明の目的は、携帯端末機においてメッセージを転送する間、携帯端末機のクローズ動作が発生しても、メッセージの転送を継続して遂行できる携帯端末機のメッセージ転送方法を提供することにある。
【課題を解決するための手段】
【０００５】
前記目的を達成するために、携帯端末機のメッセージ転送方法は、前記携帯端末機のメッセージモードにおいて作成されたメッセージに対する転送が選択されると、前記メッセージを転送するステップと、前記メッセージが転送される間、前記携帯端末機のクローズ動作が発生すると、前記携帯端末機がクローズされた状態でも、前記メッセージの転送が継続して遂行されるステップとを含むことを特徴とする。
【０００６】
また、携帯端末機のメッセージ転送方法は、前記携帯端末機のメッセージモードにおいて作成されたメッセージに対する転送が選択されると、前記メッセージを転送するステップと、前記メッセージが転送される間、前記携帯端末機のクローズ動作が発生すると、前記携帯端末機がクローズされた状態でメッセージの転送維持が設定されているか否かを判断するステップと、前記メッセージの転送維持が設定されていると、前記携帯端末機がクローズされた状態でも、前記メッセージの転送を継続して遂行するステップと、前記メッセージの転送が完了すると、前記携帯端末機がクローズされた状態で、前記メッセージの転送が成功したか否かを報知するステップとを含むことを特徴とする。
【０００７】
また、携帯端末機のメッセージ転送方法は、前記携帯端末機のメッセージモードにおいて作成されたメッセージに対する転送が選択されると、前記メッセージを転送するステップと、前記メッセージが転送される間、前記携帯端末機のクローズ動作が発生すると、前記メッセージの転送を継続して遂行するか否かを尋ねるメッセージを表示するステップと、一定時間が経過する前にメッセージの転送が選択されると、前記携帯端末機がクローズされた状態でも、前記メッセージの転送を継続して遂行するステップと、前記メッセージ転送が完了すると、前記携帯端末機がクローズされた状態で、前記メッセージの転送が成功したか否かを報知するステップとを含むことを特徴とする。
【発明の効果】
【０００８】
本発明によれば、携帯端末機において、メッセージの転送が完了する前に携帯端末機のクローズ動作が発生しても、メッセージの転送を継続して遂行できる。よって、メッセージの転送中に携帯端末機のクローズ動作が発生しても、メッセージの転送を完了できる。また、メッセージ転送が完了するまでの携帯端末機のユーザーの待機時間を低減できる。また、メッセージ転送後、メッセージの転送が成功したか否かを報知することで、メッセージの転送が完了するまで待機することなく、メッセージの転送が成功したか否かを確認できる。
【発明を実施するための最良の形態】
【０００９】
以下、本発明の好適な実施形態について添付図面を参照しながら詳細に説明する。図面において、同一の構成要素に対しては、同一の参照符号を付いたことに留意すべきである。また、下記の説明において、本発明の要旨のみを明瞭にするために、公知の機能や構成についての具体的な説明は適宜省略する。
【００１０】
本発明の実施形態において、携帯端末機のクローズ動作は、フォルダ式携帯端末機においてフォルダが折り畳まれたり、フリップ式携帯端末機においてフリップがクローズされたり、或いは、スライド式携帯端末機においてスライドがクローズされるような動作により、携帯端末機において進行中である通話／通信が切れるものを意味する。
【００１１】
図１は、本発明の実施形態による携帯端末機の構成を示す図である。
【００１２】
図１によれば、ＲＦ部１２３は、携帯端末機の無線通信機能を遂行する。ＲＦ部１２３は、送信される信号の周波数をアップコンバート及び増幅するＲＦ送信機と、受信される信号を低雑音増幅し、周波数をダウンコンバートするＲＦ受信機とを含む。モデム１２０は、送信される信号を符号化及び変調する送信機と、受信される信号を復調及び復号化する受信機とを含む。オーディオ処理部１２５はコーデックからなり、コーデックはパケットデータなどを処理するデータコーデックと、音声などのオーディオ信号を処理するオーディオコーデックとを含む。オーディオ処理部１２５は、モデム１２０から受信されるデジタルオーディオ信号をオーディオコーデックを介してアナログ信号に変換・再生したり、又は、マイクから発生して送信されるアナログオーディオ信号をオーディオコーデックを介してデジタルオーディオ信号に変換してモデム１２０に転送する。コーデックは、別に具備されたり、又は、制御部１１０に含まれることができる。
【００１３】
メモリ１３０は、プログラムメモリ及びデータメモリからなる。プログラムメモリは、携帯端末機の一般的な動作を制御するためのプログラムと、本発明の実施形態により携帯端末機のクローズ動作が発生しても、メッセージの転送を継続して遂行するように制御するプログラムとを格納できる。データメモリは、プログラムの遂行中に発生するデータを仮格納する。
【００１４】
制御部１１０は、携帯端末機の全般的な動作を制御する。また、制御部１１０は、モデム１２０及びコーデックを含むこともできる。
【００１５】
また、制御部１１０は、本発明の実施形態により、メッセージの転送中、携帯端末機のクローズ動作が発生すると、携帯端末機のクローズ動作に従うメッセージの転送維持設定により、メッセージの転送を継続して遂行したり、或いは、メッセージの転送を終了するように制御する。
【００１６】
また、制御部１１０は、本発明の実施形態により、メッセージの転送中、携帯端末機のクローズ動作が発生すると、外部の表示部にメッセージの転送を継続して遂行するか否かを尋ねるメッセージを表示するように制御するが、一定時間が経過する前に転送が選択されると、メッセージを転送するように制御し、一定時間が経過したり、又は、一定時間が経過する前に転送取消が選択されると、メッセージの転送を終了するように制御する。
【００１７】
また、制御部１１０は、本発明の実施形態により、携帯端末機のクローズ動作が発生した状態で、メッセージの転送が完了すると、メッセージの転送が成功したか否かを振動発生回数、ベル音の種類及びランプの動作などを介して報知するように制御する。
【００１８】
カメラ部１４０は、映像データを撮影し、撮影された光信号を電気的信号に変換するカメラセンサーと、カメラセンサーから撮影されたアナログ映像信号をデジタルデータに変換する信号処理部とを含む。ここで、カメラセンサーはＣＣＤセンサーとし、信号処理部はＤＳＰ(Digital Signal Processor)に具現できる。また、カメラセンサー及び信号処理部は、一体又は別体に具現することもできる。
【００１９】
映像処理部１５０は、カメラ部１４０から出力される映像信号を表示するための画面データを発生する。映像処理部１５０は、カメラ部１４０から出力される映像信号をフレーム単位に処理し、フレーム映像データを表示部１６０の特性及びサイズに応じて出力する。また、映像処理部１５０は、映像コーデックを備え、表示部１６０に表示されるフレーム映像データを所定の方式により圧縮したり、圧縮されたフレーム映像データを元のフレーム映像データに復元する。ここで、映像コーデックは、ＪＰＥＧコーデック、ＭＰＥＧ４コーデック、ウェーブレット(Wavelet)コーデック等になり得る。映像処理部１５０は、ＯＳＤ(On Screen Display)機能を備えるが、制御部１１０の制御の下に表示される画面のサイズに応じてオンスクリーン表示データを出力できる。
【００２０】
表示部１６０は、映像処理部１５０から出力される映像信号を画面に表示し、制御部１１０から出力されるユーザーデータを表示する。ここで、表示部１６０は、ＬＣＤを使用する場合、ＬＣＤ制御部、映像データを格納できるメモリ及びＬＣＤ表示素子などを具備できる。ＬＣＤをタッチスクリーン方式に具現する場合、入力部として動作することもできる。また、表示部１６０は、内部表示部及び外部表示部からなり、内部表示部及び外部表示部は、フォルダ式携帯端末機においてフォルダの内側及び外側に各々具備できる。
【００２１】
キー入力部１２７は、数字及び文字を入力するためのキーと、各種機能を設定するための機能キーとを備える。キー入力部１２７は、本発明の実施形態により、携帯端末機のクローズ動作が発生した状態で、メッセージの転送を制御するキーを具備できる。
【００２２】
前述したような携帯端末機におけるメッセージの転送過程を、図２及び図３を介して詳細に説明する。
【００２３】
図２は、本発明の第１の実施形態による携帯端末機におけるメッセージの転送過程を示すフローチャートである。
【００２４】
以下、本発明の実施形態を、図１の参照と共に詳細に説明する。
【００２５】
図２によれば、携帯端末機において、メッセージが選択されると、制御部１１０は、段階Ｓ２０１においてこれを感知し、携帯端末機をメッセージモードに転換する。メッセージモードにおいてメッセージの作成が選択され、段階Ｓ２０２において転送すべきメッセージの内容を作成した後、メッセージの転送が選択されると、制御部１１０は、段階Ｓ２０３においてこれを感知し、段階Ｓ２０４においてメッセージを転送する。このとき、携帯端末機のクローズ動作が発生すると、制御部１１０は、段階Ｓ２０５においてこれを感知し、段階Ｓ２０４のメッセージの転送が完了したか否かを判断する。
【００２６】
メッセージの転送が完了されなかった場合、制御部１１０は、段階Ｓ２０６においてこれを感知し、携帯端末機のクローズ動作状態でメッセージの転送維持が設定されているか否かを判断する。携帯端末機のクローズ動作状態でメッセージの転送維持設定は、ユーザーにより予め設定されることができる。メッセージの転送維持が設定されている場合は、終了キーの動作時のみにメッセージ転送を終了するように設定し、或いは、メッセージの転送維持が設定されていない場合は、携帯端末機のクローズ動作／終了キーの動作時にメッセージ転送を終了するように設定する。
【００２７】
携帯端末機のクローズ動作状態で、メッセージの転送維持が設定されていないと、制御部１１０は、段階Ｓ２０７においてこれを感知し、段階Ｓ２０８においてメッセージの転送を終了する。一方、携帯端末機のクローズ動作状態で、メッセージの転送維持が設定されていると、制御部１１０は、段階Ｓ２０７においてこれを感知し、段階Ｓ２１０において携帯端末機のクローズ動作が発生した状態でも、メッセージの転送を維持するように制御する。
【００２８】
段階Ｓ２１０においてメッセージ転送が完了すると、制御部１１０は、段階Ｓ２１１においてこれを感知し、段階Ｓ２１２においてメッセージの転送が成功したか否かを報知する。
【００２９】
制御部１１０は、段階Ｓ２１２において、携帯端末機のクローズ動作状態で、メッセージの転送維持設定により、ユーザーにより選択されたメッセージの転送が成功した否かを報知する方法をチェックして、メッセージの転送が成功したか否かを報知するように制御する。
【００３０】
メッセージの転送が成功したか否かは、振動発生回数、ベル音の種類又はランプの動作を互いに異なるように遂行したり、振動／ベル音／ランプを組合して発生させることにより報知できる。例えば、メッセージの転送が成功した場合は１回の振動を発生させ、メッセージの転送が失敗した場合は２回の振動を発生させることで、携帯端末機のフォルダが折り畳まれたり、フリップがクローズされたり、或いはスライドがクローズされた状態でも、ユーザーにメッセージの転送が成功した否かを報知できる。
【００３１】
図３は、本発明の第２の実施形態による携帯端末機におけるメッセージ転送過程を示すフローチャートであって、内部表示部及び外部表示部を備える携帯端末機におけるメッセージ転送過程を示す。
【００３２】
以下、本発明の実施形態を、図１の参照と共に詳細に説明する。
【００３３】
図３によれば、携帯端末機において、メッセージが選択されると、制御部１１０は、段階Ｓ３０１においてこれを感知し、携帯端末機をメッセージモードに転換する。メッセージモードにおいてメッセージの作成が選択され、段階Ｓ３０２において転送すべきメッセージの内容を作成した後、メッセージの転送が選択されると、制御部１１０は、段階Ｓ３０３においてこれを感知し、段階Ｓ３０４においてメッセージを転送する。このとき、携帯端末機のクローズ動作が発生すると、制御部１１０は、段階Ｓ３０５においてこれを感知し、段階Ｓ３０４のメッセージの転送が完了したか否かを判断する。
【００３４】
メッセージの転送が完了されなかった場合、制御部１１０は、段階Ｓ３０６においてこれを感知し、段階Ｓ３０７段階において、メッセージの転送を継続して遂行するか否かを尋ねるメッセージを携帯端末機の外部表示部に表示するように制御する。
【００３５】
段階Ｓ３０７において、メッセージを表示した後、一定時間が経過すると、制御部１１０は、段階Ｓ３０８においてこれを感知し、段階Ｓ３１０においてメッセージの転送を終了する。又は、一定時間が経過する前に転送取消が選択されると、制御部１１０は、段階Ｓ３０８及び段階Ｓ３０９を介してこれを感知し、段階Ｓ３１０においてメッセージの転送を終了する。段階Ｓ３０９においてメッセージの転送取消は、携帯端末機の外部に具備されたキーの入力によっても選択されることができる。
【００３６】
一方、メッセージの表示に応答して一定時間が経過する前にメッセージ転送が選択されると、制御部１１０は、段階Ｓ３０８及び段階Ｓ３１１においてこれを感知し、段階Ｓ３１２において携帯端末機のクローズ動作が発生した状態でも、メッセージの転送を維持するように制御する。段階Ｓ３１１においてメッセージの転送は、携帯端末機の外部に具備されたキーの入力によっても選択されることができる。
【００３７】
段階Ｓ３１２において、メッセージ転送が完了すると、制御部１１０は、段階Ｓ３１３においてこれを感知し、段階Ｓ３１４においてメッセージの転送が成功したか否かを報知する。
【００３８】
制御部１１０は、段階Ｓ３１４において、携帯端末機のクローズ動作状態で、メッセージの転送維持設定により、ユーザーにより選択されたメッセージの転送が成功した否かを報知する方法をチェックして、メッセージの転送が成功したか否かを報知するように制御する。メッセージの転送が成功したか否かは、振動発生回数、ベル音の種類又はランプの動作を互いに異なるように遂行したり、振動／ベル音／ランプを組合して発生させることにより報知できる。
【００３９】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００４０】
【図１】本発明の実施形態による携帯端末機の構成を示す図である。
【図２】本発明の第１の実施形態による携帯端末機におけるメッセージ転送過程を示すフローチャートである。
【図３】本発明の第２の実施形態による携帯端末機におけるメッセージ転送過程を示すフローチャートである。
【符号の説明】
【００４１】
１１０：制御部
１２０：モデム
１２３：ＲＦ部
１２５：オーディオ処理部 
１２７：キー入力部
１３０：メモリ
１４０：カメラ部
１５０：映像処理部
１６０：表示部
【図１】
2007195152.tif 000003
【図２】
2007195152.tif 000004
【図３】
2007195152.tif 000005